(57)【要約】【課題】車両の事故発生を通報するシステムにおけるコストの低減を図る。【解決手段】本発明である携帯通信端末１００は、車両に装備され、車両に予め搭載された衝突検出手段による衝突の検出に応じて、当該車両から出力された通報信号を検出する通報信号検出手段１０１と、通報信号を検出したときに、携帯通信端末に予め搭載された撮影手段にて撮影した画像情報と、携帯通信端末に予め搭載された位置検出手段にて検出された車両位置情報と、携帯通信端末に予め登録されたユーザ情報と、を少なくとも含む通知情報を、予め設定された通報先に送信する通報手段１０２と、を備える。【選択図】図５
2019165296.tif 000002
【特許請求の範囲】
【請求項１】
車両に装備される携帯通信端末であって、
車両に予め搭載された衝突検出手段による衝突の検出に応じて、当該車両から出力された通報信号を検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を備えた携帯通信端末。
【請求項２】
請求項１に記載の携帯通信端末であって、
前記通報信号検出手段は、前記車両の前記衝突検出手段による衝突の検出に応じて、当該車両に搭載されたエアバッグの展開指示信号と共に出力された前記通報信号を検出する、
携帯通信端末。
【請求項３】
請求項１又は２に記載の携帯通信端末であって、
前記通報信号検出手段は、前記車両の前記衝突検出手段による衝突の検出に応じて、当該車両から出力される当該車両の衝撃値を表す衝撃値情報を、前記通報信号と共に検出し、
前記通報手段は、前記通知情報に前記衝撃値情報を含めて、当該通知情報を前記通報先に送信する、
携帯通信端末。
【請求項４】
請求項１乃至３のいずれかに記載の携帯通信端末であって、
前記通報信号検出手段は、前記車両に設置されたホルダに前記携帯通信端末が保持された状態で、当該ホルダに設けられた接続端子から出力される前記通報信号を、前記携帯通信端末に設けられた入力端子を介して検出する、
携帯通信端末。
【請求項５】
請求項１乃至４のいずれかに記載の携帯通信端末であって、
前記通報手段は、前記通報信号を検出した時点において、前記撮影手段にて撮影した画像情報と、前記位置検出手段にて検出した車両位置情報と、を少なくとも含む前記通知情報を前記通報先に送信する、
携帯通信端末。
【請求項６】
請求項１乃至５のいずれかに記載の携帯通信端末であって、
前記通報手段は、前記通知情報を前記通報先にファクシミリ又は電子メールにて送信する、
携帯通信端末。
【請求項７】
携帯通信端末と、当該携帯通信端末を車両に装備するために当該車両に設置されており前記携帯通信端末を保持するホルダと、を備えた情報処理システムであって、
前記ホルダは、前記車両に予め搭載された衝突検出手段による衝突の検出に応じて、当該車両から出力された通報信号を出力する接続端子を備え、
前記携帯通信端末は、
前記ホルダに保持された状態で、当該ホルダに設けられた前記接続端子から出力される前記通報信号を、前記携帯通信端末に設けられた入力端子を介して検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を備えた、
情報処理システム。
【請求項８】
請求項７に記載の情報処理システムであって、
前記車両に搭載され、前記衝突検出手段による衝突の検出に応じて前記通報信号を生成して当該通報信号を前記ホルダの前記接続端子に出力する通報信号生成手段を備えた、
情報処理システム。
【請求項９】
車両に装備される携帯通信端末に、
車両に予め搭載された衝突検出手段による衝突の検出に応じて、当該車両から出力された通報信号を検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を実現させるためのプログラム。
【請求項１０】
車両に装備される携帯通信端末が、
車両に予め搭載された衝突検出手段による衝突の検出に応じて、当該車両から出力された通報信号を検出し、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する、
情報処理方法。
【発明の詳細な説明】
【技術分野】
【０００１】
本発明は、車両に設置される携帯通信端末及びこれを用いた情報処理システム、情報処理方法、プログラムに関する。
【背景技術】
【０００２】
車両の交通事故発生時において、位置情報や発生状況を災害救急情報センターに伝える手段として、事故当事者もしくは周りにいる人が、携帯電話で通報することが多く想定される。ところが、当事者を含めた通報者が、位置を把握できない場合もあり、事故発生状況の正確な情報を伝達することができない場合も多々ある。また、場合によって、事故当事者が連絡できず、その周囲にも人がいないケースも考えられる。
【０００３】
そして、車両の交通事故発生を通報する方法として、車両に通報機能を搭載することが考えられる。例えば、車両に、通信手段、ドライブレコーダ、カーナビゲーションシステム、マイクなどの設備を使用して、通信手段を介して、各設備から取得した種々の情報を通報するシステムを構築することが考えられる。ところが、このようなシステムでは、車両の通信機能やドライブレコーダなど様々な設備を搭載する必要があり、また、その設定も必要であることから、コストが高くかかる、という問題が生じる。
【０００４】
上述した問題に対して、特許文献１に示すように、カメラ、ＧＰＳ（Global Positioning System）、通話機能などを備えたスマートフォンを利用して、安価に車両から通報を行う方法が検討されている。特許文献１のシステムでは、車両のダッシュボードにスマートフォンを搭載して、かかるスマートフォンにて所定閾値以上の加速度を検出すると、コールセンタへ自動発呼を行うと共に、映像データや位置データなどをクラウドのストレージサーバに送信するよう作動する。そして、コールセンタ側では、送信されたデータを解析し、解析結果に応じて必要であれば車両の運転者に対してコールバックを行う。
【先行技術文献】
【特許文献】
【０００５】
【特許文献１】特開２０１７−４６１２５号公報
【発明の概要】
【発明が解決しようとする課題】
【０００６】
しかしながら、上述した方法では、スマートフォンの加速度が所定閾値以上となると自動発呼され、映像データ等がコールセンタに送信されるため、明らかに事故ではない不要な発呼やデータ送信が生じる可能がある。そして、このような不要な発呼やデータ送信に伴い、コールセンタ側では不要な解析処理や判断処理、さらにはコールバック作業が生じうる。このため、通信コストの増加や、不要な解析処理や判断処理等の作業に伴うコンピュータ及びオペレータの負担による費用の増加、という問題が生じる。
【０００７】
このため、本発明の目的は、上述した課題である、車両の事故発生を通報するシステムにおけるコストの増加、という問題を解決することができる情報処理端末、情報処理システム、情報処理方法、プログラムを提供することにある。
【課題を解決するための手段】
【０００８】
本発明の一形態である携帯通信端末は、
車両に装備される携帯通信端末であって、
車両に予め搭載された衝突検出手段による衝突の検出に応じて、当該車両から出力された通報信号を検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を備えた、
という構成をとる。
【０００９】
また、本発明の一形態である情報処理システムは、
携帯通信端末と、当該携帯通信端末を車両に装備するために当該車両に設置されており前記携帯通信端末を保持するホルダと、を備えた情報処理システムであって、
前記ホルダは、前記車両に予め搭載された衝突検出手段による衝突の検出に応じて、当該車両から出力された通報信号を出力する接続端子を備え、
前記携帯通信端末は、
前記ホルダに保持された状態で、当該ホルダに設けられた前記接続端子から出力される前記通報信号を、前記携帯通信端末に設けられた入力端子を介して検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を備えた、
という構成をとる。
【００１０】
また、本発明の一形態であるプログラムは、
車両に装備される携帯通信端末に、
車両に予め搭載された衝突検出手段による衝突の検出に応じて、当該車両から出力された通報信号を検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を実現させる、
という構成をとる。
【００１１】
また、本発明の一形態である情報処理方法は、
車両に装備される携帯通信端末が、
車両に予め搭載された衝突検出手段による衝突の検出に応じて、当該車両から出力された通報信号を検出し、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する、
という構成をとる。
【発明の効果】
【００１２】
本発明は、以上のように構成されることにより、車両の事故発生を通報するシステムにおけるコストの低減を図ることができる。
【図面の簡単な説明】
【００１３】
【図１】本発明の実施形態１における車両にスマートフォンが搭載されるときの様子を示す図である。
【図２】図１で開示したスマートフォンを含む情報処理システムの構成を示すブロック図である。
【図３】図１に開示した情報処理システムの動作を示すフローチャートである。
【図４】本発明の実施形態２における情報処理システムの構成を示すブロック図である。
【図５】本発明の実施形態２における携帯通信端末の構成を示すブロック図である。
【発明を実施するための形態】
【００１４】
＜実施形態１＞
本発明の第１の実施形態を、図１乃至図３を参照して説明する。図１乃至図２は、情報処理システムの構成を説明するための図である。図３は、情報処理システムの動作を説明するための図である。
【００１５】
［構成］
本実施形態における情報処理システムは、図１に示すように、車両１に装備されるスマートフォン２を含んで構成されている。具体的に、情報処理システムは、スマートフォン２と、当該スマートフォン２を保持するスマートフォンホルダ３と、車両１（車両１に搭載されている一部の機能）と、によって構成されている。
【００１６】
上記スマートフォンホルダ３（ホルダ）は、例えば図１に示すように、車両１のダッシュボードに固定設置されている。そして、スマートフォンホルダ３は、スマートフォン２の裏面側（図１の紙面裏側）に搭載された車外カメラ２１が車外を向き、スマートフォン２の表面側（図１の紙面表側）に搭載された車内カメラ２２が車内を向くよう保持する。但し、スマートフォンホルダ３及びかかるホルダ３にて保持されるスマートフォン２の設置場所は、図１に示す場所に設置されず、車内、車外のいかなる場所に設置されてもよい。
【００１７】
また、スマートフォンホルダ３は、スマートフォン２との接続端子を構成するコネクタ３１を備えている。コネクタ３１は、スマートフォンホルダ３でスマートフォン２を保持したときに、当該スマートフォン２に設けられた外部入力端子２６（入力端子）が自動的に接続されるよう位置している。
【００１８】
そして、上記スマートフォンホルダ３のコネクタ３１には、図１に示すように信号線１３ａが接続されている。この信号線１３ａは、車両１に装備された緊急通報信号生成回路１３から延びている。
【００１９】
上記緊急通報信号生成回路１３（通報信号生成手段）は、一般的な車両１に搭載されている衝突検出センサ１１（衝突検出手段）及びエアバッグ１２に接続されている。なお、衝突検出センサ１１は、例えば、車両１の加速度などの計測値から、車両１が何らかの物体に衝突したことを検知するセンサであり、衝突を検出すると、衝突したことを表す衝突検出信号を緊急通報信号生成回路１３に出力する。そして、緊急通報信号生成回路１３は、衝突検出センサ１１から衝突検出信号を受けると、当該衝突検出信号に基づいて、エアバッグ１２を展開させる信号（展開指示信号）をエアバッグ１２に出力する共に、緊急通報信号（通報信号）を生成して信号線１３ａを介してスマートフォンホルダ３のコネクタ３１に出力する。
【００２０】
なお、緊急通報信号生成回路１３は、衝突検出センサ１１から出力された衝突検出信号に基づいて、いかなる方法で緊急通報信号を生成してもよい。例えば、緊急通報信号生成回路１３は、衝突検出信号を検出すると、自動的に予め設定された緊急通報信号を信号線１３ａを介してスマートフォンホルダ３のコネクタ３１に出力してもよい。
【００２１】
また、緊急通報信号生成回路１３は、衝突検出信号を検出すると、車両１の衝突時の衝撃値を表す衝撃値信号（衝撃値情報）を生成して、緊急通報信号と共にスマートフォンホルダ３のコネクタ３１に出力する。このとき、緊急通報信号生成回路１３は、例えば、車両１の加速度などの計測値から予め設定された方法で、車両１の衝突時の衝撃の度合いを表す値である衝撃値信号を生成する。
【００２２】
上記スマートフォン２は、演算装置及び記憶装置を備えると共に、無線通信手段を備えた携帯通信端末である。また、スマートフォン２は、表裏にそれぞれカメラを備えており、１台が車外カメラ２１、もう１台が車内カメラ２２として機能する。また、スマートフォン２は、ＧＰＳ（Global Positioning System）２３、マイク２４、スピーカ２５、外部入力端子２６、といった一般的なスマートフォンが備える構成を備えている。なお、スマートフォン２は、スマートフォンホルダ３に保持された状態で、外部入力端子２６がスマートフォンホルダ３のコネクタ３１と接続される位置に設置されている。
【００２３】
さらに、スマートフォン２は、図２に示すように、演算装置がプログラムを実行することで構築された、緊急通報用アプリケーション２０、ファックス機能２７、メール機能２８、通話機能２９、を備えている。また、スマートフォン２は、装備された記憶装置に、ユーザ情報記憶部と取得情報記憶部（図示せず）を備えている。
【００２４】
上記緊急通報用アプリケーション２０（通報信号検出手段、通報手段）は、車両１による走行開始時などにユーザによって操作されることにより起動する。緊急通報用アプリケーション２０は、起動すると、車外カメラ２１及び車内カメラ２２（撮影手段）による撮影、ＧＰＳ２３（位置検出手段）による車両位置情報の取得、マイク２４による音情報の取得、を開始する。そして、緊急通報用アプリケーション２０は、撮影した画像情報や取得した車両位置情報、音情報を、記憶装置に蓄積する。なお、緊急通報用アプリケーション２０は、蓄積した情報を一定時間のみ蓄積してもよく、後述するように、緊急通報情報を検出したときのみ上記カメラ２１，２２やＧＰＳ２３等の機器による各種情報の取得を開始して蓄積してもよい。
【００２５】
また、緊急通報用アプリケーション２０は、車両１の緊急通報信号生成回路１３から出力され、信号線１３ａを介してスマートフォンホルダ３のコネクタ３１から出力された緊急通報信号を、外部入力端子２６を介して検出する。緊急通報用アプリケーション２０は、緊急通報信号を検出すると、取得して記憶されている画像情報、車両位置情報を、通知情報として、災害緊急情報センター４に送信する。特に、緊急通報用アプリケーション２０は、緊急通報信号を検出したときから所定時間だけ前後する時間内に取得した画像情報や車両位置情報を通知情報として通知してもよい。あるいは、緊急通報用アプリケーション２０は、緊急通報信号を検出した直後にカメラ２１，２２やＧＰＳ２３を起動して画像情報や車両位置情報を取得し、かかる情報を通知情報として通知してもよい。このとき、緊急通報用アプリケーション２０は、ファックス機能２７を利用して、通知情報を災害緊急情報センター４に通知する。
【００２６】
なお、緊急通報用アプリケーション２０は、車両１から緊急通報信号と共に検出した衝撃値信号も、上記通知情報に含めて災害緊急情報センター４に通知する。また、このとき、緊急通報用アプリケーション２０は、上記通知情報に、予めスマートフォン２に装備された記憶装置に記憶されているユーザ情報を含めて通知する。ユーザ情報は、例えば、氏名、電話番号、緊急連絡先電話番号、などのユーザ固有の情報の他、「救急」、「車両による事故」、といった文字情報を含んでいてもよい。
【００２７】
但し、緊急通報用アプリケーション２０は、メール機能２８を利用して、通知情報を災害緊急情報センター４に通知してもよく、通話機能２９を利用して発信してもよい。このとき、緊急通報用アプリケーション２０は、取得した音情報を通知情報に含めて、メールに添付したり、通話にて通知してもよい。
【００２８】
また、緊急通報用アプリケーション２０は、上記通知情報を、クラウドサービス５にメール機能２８を利用して通知してもよい。例えば、クラウドサービス５は、事故後の処理サービスである「警察への通報」、「保険会社への連絡」、「ロードサービスへの連絡」を行う機能を有しており、これらのサービスを依頼する依頼メールを送信する。なお、緊急通報用アプリケーション２０は、予め災害緊急情報センター４やクラウドサービス５へのＦＡＸ番号やメールアドレス、電話番号といった通報先の情報を記憶している。
【００２９】
［動作］
次に、上述した構成の情報処理システムの動作を、図１の模式図及び図３のフローチャーを参照して説明する。まず、図１に示すように、車両１の乗員であるユーザは、携帯しているスマートフォン２を、ダッシュボードに固定されているスマートフォンホルダ３に保持されるようセットする（ステップＳ１）。すると、スマートフォン２に設けられた外部入力端子２６に、スマートフォンホルダ３に設けられたコネクタ３１が嵌合して接続されることとなる（図１参照）。
【００３０】
通いて、ユーザは、スマートフォン２に組み込まれている緊急通報用アプリケーション２０を起動する（ステップＳ２）。すると、緊急通報用アプリケーション２０は、車外カメラ２１や車内カメラ２２から画像を取得し、また、ＧＰＳ２３から位置情報を収集して、記憶することを開始する（ステップＳ３）。
【００３１】
その後、車両１では、衝突検出センサ１１が衝突を検出すると、緊急通報信号生成回路１３がエアバッグ１２に展開信号を送出し、これによってエアバッグ１２を展開すると同時に、衝撃値を示す加速度情報を含む緊急通報信号１３ａを生成して出力する。すると、スマートフォン２の緊急通報用アプリケーション２０は、車両１の緊急通報信号生成回路１３に接続されているコネクタ３１と嵌合している外部入力端子２６から、緊急通報信号１３ａを検出する（ステップＳ４でＹｅｓ）。
【００３２】
緊急通報用アプリケーション２０は、緊急通報信号１３ａを検出すると、かかる信号の検出に前後して取得した画像情報や位置情報を取り込み、あるいは、検出してから直ちにカメラ２１，２２にて画像情報を撮影したりＧＰＳ２３にて位置情報を取得して取り込む。そして、緊急通報用アプリケーション２０は、取り込んだ画像情報や位置情報からなる通知情報に、ユーザ情報を含めて、災害緊急情報センター４にＦＡＸ機能２７を介してＦＡＸ送信を行う（ステップＳ５）。このとき、緊急通報用アプリケーション２０は、緊急通報信号１３ａと共に検出した車両１の衝撃値信号である加速度情報を、上記通知情報に含めて災害緊急情報センター４に通知する。このとき、緊急通報用アプリケーション２０は、上記通知情報に、予めスマートフォン２に装備された記憶装置に記憶されているユーザ情報も含めて通知する。なお、災害緊急情報センター４への通知は、メール機能２８を介して行ってもよい。
【００３３】
その後、災害緊急情報センター４のオペレータは、通知された通知情報の内容を確認し、必要に応じて通知情報内のユーザ情報に基づいてスマートフォン２に発呼し、当該スマートフォン２のユーザは、可能であれば通話機能２９を用いて災害緊急情報センター４のオペレータと通話することもできる（ステップＳ６）。かかる通話により、災害緊急情報センター４のオペレータは、ユーザの状況を確認し、必要であれば、救急車を呼び出す。また、ユーザ自身も、スマートフォン２の通話機能２９を利用して、救急車を呼び出すことができる（ステップＳ７）。
【００３４】
スマートフォン２の緊急通報用アプリケーション２０は、上述した緊急な通報を行った後に、メール機能２８を利用して、クラウドサービス５に対して、事故後の処理サービスである、警察への通報、保険会社への連絡、ロードサービスへの連絡、といった依頼メールの送信を行う（ステップＳ８）。クラウドサービス５は、スマートフォン２から依頼メールを受信すると、確認メールでスマートフォン２に返信すると共に、依頼メールに従って警察等への連絡を行う。また、クラウドサービス５のオペレータは、スマートフォン２に発呼することができ、これを受けてスマートフォン２のユーザは、通話機能２９を用いてオペレータと通話して確認を取ることもできる。
【００３５】
以上のように、本発明によると、車両１の交通事故発生時に、スマートフォン２を用いて、低コストにて、現場の位置や状況、事故当事者の名前、電話番号、緊急連絡先などの必要な情報を、正確かつ確実に災害救急情報センターや各種サービスを行うクラウドセンターに連絡することができる。
【００３６】
＜実施形態２＞
次に、本発明の第２の実施形態を、図４乃至図５を参照して説明する。図４は、本実施形態における情報処理システムの構成を示すブロック図であり、図５は、本実施形態における携帯通信端末の構成を示すブロックである。なお、本実施形態では、実施形態１で説明した情報処理システムやスマートフォンの構成の概略を示している。
【００３７】
図４に示すように、本実施形態における情報処理システムは、
携帯通信端末１００と、当該携帯通信端末１００を車両３００に装備するために当該車両３００に設置されており携帯通信端末１００を保持するホルダ２００と、を備えている。
【００３８】
そして、上記ホルダ２００は、車両３００に予め搭載された衝突検出手段による衝突の検出に応じて、当該車両３００から出力された通報信号を出力する接続端子２１０を備える。
【００３９】
また、上記携帯通信端末１００は、
ホルダ２００に保持された状態で、当該ホルダ２００に設けられた接続端子２１０から出力される通報信号を、携帯通信端末１００に設けられた入力端子１１０を介して検出する通報信号検出手段１０１と、
通報信号を検出したときに、携帯通信端末１００に予め搭載された撮影手段にて撮影した画像情報と、携帯通信端末１００に予め搭載された位置検出手段にて検出された車両位置情報と、携帯通信端末１００に予め登録されたユーザ情報と、を少なくとも含む通知情報を、予め設定された通報先に送信する通報手段１０２と、
を備える。
【００４０】
なお、本発明は、図５に示すように、上述した情報処理システムを構成する携帯通信端末１００のみで構成されていてもよい。
【００４１】
そして、上記構成の携帯通信端末１００は、
車両に予め搭載された衝突検出手段３０１による衝突の検出に応じて、当該車両から出力された通報信号を検出し、
通報信号を検出したときに、携帯通信端末１００に予め搭載された撮影手段にて撮影した画像情報と、携帯通信端末１００に予め搭載された位置検出手段にて検出された車両位置情報と、携帯通信端末１００に予め登録されたユーザ情報と、を少なくとも含む通知情報を、予め設定された通報先に送信する、
という処理を実行するよう作動する。
【００４２】
上記発明によると、車両３００による衝突検出時に自動的に出力される通報信号を携帯通信端末１００が検出することで、当該形態短津新端末１００から、自動的に車両周囲の撮影情報や車両の位置情報、さらには、ユーザ情報が、通報先に通知される。これにより、低コストにて、事故の状況を正確かつ確実に通知することができ、迅速な事故対応を取ることができる。
【００４３】
＜付記＞
上記実施形態の一部又は全部は、以下の付記のようにも記載されうる。以下、本発明における携帯通信端末、情報処理システム、情報処理方法、プログラムの構成の概略を説明する。但し、本発明は、以下の構成に限定されない。
【００４４】
（付記１）
車両に装備される携帯通信端末であって、
車両に予め搭載された衝突検出手段による衝突の検出に応じて、当該車両から出力された通報信号を検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を備えた携帯通信端末。
【００４５】
（付記２）
付記１に記載の携帯通信端末であって、
前記通報信号検出手段は、前記車両の前記衝突検出手段による衝突の検出に応じて、当該車両に搭載されたエアバッグの展開指示信号と共に出力された前記通報信号を検出する、
携帯通信端末。
【００４６】
（付記３）
付記１又は２に記載の携帯通信端末であって、
前記通報信号検出手段は、前記車両の前記衝突検出手段による衝突の検出に応じて、当該車両から出力される当該車両の衝撃値を表す衝撃値情報を、前記通報信号と共に検出し、
前記通報手段は、前記通知情報に前記衝撃値情報を含めて、当該通知情報を前記通報先に送信する、
携帯通信端末。
【００４７】
（付記４）
付記１乃至３のいずれかに記載の携帯通信端末であって、
前記通報信号検出手段は、前記車両に設置されたホルダに前記携帯通信端末が保持された状態で、当該ホルダに設けられた接続端子から出力される前記通報信号を、前記携帯通信端末に設けられた入力端子を介して検出する、
携帯通信端末。
【００４８】
（付記５）
付記１乃至４のいずれかに記載の携帯通信端末であって、
前記通報手段は、前記通報信号を検出した時点において、前記撮影手段にて撮影した画像情報と、前記位置検出手段にて検出した車両位置情報と、を少なくとも含む前記通知情報を前記通報先に送信する、
携帯通信端末。
【００４９】
（付記６）
付記１乃至５のいずれかに記載の携帯通信端末であって、
前記通報手段は、前記通知情報を前記通報先にファクシミリ又は電子メールにて送信する、
携帯通信端末。
【００５０】
（付記７）
携帯通信端末と、当該携帯通信端末を車両に装備するために当該車両に設置されており前記携帯通信端末を保持するホルダと、を備えた情報処理システムであって、
前記ホルダは、前記車両に予め搭載された衝突検出手段による衝突の検出に応じて、当該車両から出力された通報信号を出力する接続端子を備え、
前記携帯通信端末は、
前記ホルダに保持された状態で、当該ホルダに設けられた前記接続端子から出力される前記通報信号を、前記携帯通信端末に設けられた入力端子を介して検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を備えた、
情報処理システム。
【００５１】
（付記８）
付記７に記載の情報処理システムであって、
前記車両に搭載され、前記衝突検出手段による衝突の検出に応じて前記通報信号を生成して当該通報信号を前記ホルダの前記接続端子に出力する通報信号生成手段を備えた、
情報処理システム。
【００５２】
（付記９）
車両に装備される携帯通信端末に、
車両に予め搭載された衝突検出手段による衝突の検出に応じて、当該車両から出力された通報信号を検出する通報信号検出手段と、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する通報手段と、
を実現させるためのプログラム。
【００５３】
（付記１０）
車両に装備される携帯通信端末が、
車両に予め搭載された衝突検出手段による衝突の検出に応じて、当該車両から出力された通報信号を検出し、
前記通報信号を検出したときに、前記携帯通信端末に予め搭載された撮影手段にて撮影した画像情報と、前記携帯通信端末に予め搭載された位置検出手段にて検出された車両位置情報と、前記携帯通信端末に予め登録されたユーザ情報と、を少なくとも含む通知情報を、予め設定された通報先に送信する、
情報処理方法。
【００５４】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００５５】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５６】
１  車両
１１  衝突検出センサ
１２  エアバッグ
１３  緊急通報信号生成回路
１３ａ  信号線
２  スマートフォン
２１  車外カメラ
２２  車内カメラ
２３  ＧＰＳ
２４  マイク
２５  スピーカ
２６  外部入力端子
３  スマートフォンホルダ
３１  コネクタ
４  災害緊急情報センター
５  クラウドサービス
１００  携帯通信端末
１０１  通報信号検出手段
１０２  通報手段
１１０  入力端子
２００  ホルダ
２１０  接続端子
３００  車両
３０１  衝突検出手段
【図１】
2019165296.tif 000003
【図２】
2019165296.tif 000004
【図３】
2019165296.tif 000005
【図４】
2019165296.tif 000006
【図５】
2019165296.tif 000007